(57)【要約】【課題】  電源ユニットの稼働状態を表示するＬＥＤが誤動作することがない冗長化電源装置を提供する。【解決手段】  逆電流を阻止するダイオード４を介して並列接続された電源ユニット１（１ａ，１ｂ）の出力部に、夫々電源ユニット１のオン／オフ状態を表示する動作表示手段３を設けた。動作表示手段３は、電源ユニット１の出力電圧をモニタしてリセット信号を出力するリセットＩＣ６と、電源ユニット１の出力電圧により発光動作する発光ダイオード７とで構成し、リセットＩＣ６は電源ユニット１の出力電圧が４．５Ｖより低下したらリセット信号を出力する特性を備え、このリセット信号により発光ダイオード７をオフさせた。【選択図】  図１
2007318916.tif 000002
【特許請求の範囲】
【請求項１】
直流電力を出力する電源ユニットを複数並列接続し、少なくともその内の１つの電源ユニットを稼働させて電力を負荷に供給する冗長化電源装置において、
個々の電源ユニットは、夫々逆電流阻止手段を介して並列接続されると共に、出力部に電源ユニットの動作状態を表示する動作表示手段を備え、
前記動作表示手段は、電源ユニットの出力電圧をモニタしてリセット信号を出力するリセットＩＣと、電源ユニットの出力電圧により発光動作する発光ダイオードとを有し、
前記リセットＩＣは、電源ユニットの出力電圧が所定の電圧より低下したらリセット信号を出力し、当該リセット信号により前記発光ダイオードはオフ操作されることを特徴とする冗長化電源装置。
【請求項２】
リセットＩＣは、略０Ｖのリセット信号を出力する請求項１記載の冗長化電源装置。
【発明の詳細な説明】
【技術分野】
【０００１】
本発明は、複数の電源ユニットを並列接続して電源の冗長度を高め、稼働中の電源ユニットが故障しても他の電源ユニットを稼働させることで負荷の誤動作や停止を回避する冗長化電源装置に関する。
【背景技術】
【０００２】
電源の信頼性を上げるために、複数の電源ユニットを並列接続して、通常は少なくとも１つの電源ユニットをオン（稼働）させて負荷に電源を供給し、その電源ユニットに不具合が発生した場合には並列接続された他の電源ユニットをオンさせて、引き続き電源の供給を可能とした冗長化電源装置がある（例えば、特許文献１参照）。
図２は、このような冗長化電源装置の一例を示し、２個の電源ユニット１１（１１ａ，１１ｂ）を並列接続した構成を示している。この図に示すように、並列接続された個々の電源ユニット１１には、電流の逆流を阻止するためのダイオード１２を介在させて並列接続されている。また、オン／オフを表示する為に、出力電圧により発光する発光ダイオード（ＬＥＤ）１３が設けられている。
【０００３】
【特許文献１】特開平９−１７９６６２号公報
【発明の開示】
【発明が解決しようとする課題】
【０００４】
しかし、図２の冗長化電源装置において、例えば第１電源ユニット１１ａがオフ状態で第２電源ユニット１１ｂがオン状態にある場合、第１電源ユニット１１ａのダイオード１２には逆電圧が加わりダイオードの特性上僅かな逆電流が流れる。そして、この電流は出力部に並列に接続されているＬＥＤ１３に流れることになる。そのため、この逆電流の大きさによってはＬＥＤ１３が発光動作してしまい、第１電源ユニット１１ａがオン状態にあるように見えてしまう場合があった。
【０００５】
そこで、本発明はこのような問題点に鑑み、電源ユニットの稼働状態を表示するＬＥＤが誤動作することがない冗長化電源装置を提供することを目的とする。
【課題を解決するための手段】
【０００６】
上記課題を解決する為に、請求項１の発明は、直流電力を出力する電源ユニットを複数並列接続し、少なくともその内の１つの電源ユニットを稼働させて電力を負荷に供給する冗長化電源装置において、個々の電源ユニットは、夫々逆電流阻止手段を介して並列接続されると共に、出力部に電源ユニットの動作状態を表示する動作表示手段を備え、前記動作表示手段は、電源ユニットの出力電圧をモニタしてリセット信号を出力するリセットＩＣと、電源ユニットの出力電圧により発光動作する発光ダイオードとを有し、前記リセットＩＣは、電源ユニットの出力電圧が所定の電圧より低下したらリセット信号を出力し、当該リセット信号により前記発光ダイオードはオフ操作されることを特徴とする。
この構成により、電源ユニットが所定電圧以上でオン状態の時は発光ダイオードは発光動作するし、電源ユニットが所定の電圧より低いかオフ状態の時はリセットＩＣのリセット信号により、発光ダイオードが発光することがない。
【０００７】
請求項２の発明は、請求項１に記載の発明において、リセットＩＣは、略０Ｖのリセット信号を出力することを特徴とする。
この構成により、電源ユニットが所定電圧より低下したらリセット出力は略０Ｖとなるので、発光ダイオードのアノードにリセットＩＣのリセット出力を接続するだけで、発光ダイオードはリセット信号によりオフする。そのため、他の電源ユニットからの逆電流が発生しても発光ダイオードが発光動作することがない。
【発明の効果】
【０００８】
本発明によれば、電源ユニットが所定電圧以上でオン状態の時は発光ダイオードは発光動作するし、電源ユニットが所定の電圧より低いかオフ状態の時はリセット信号により発光ダイオードが発光することがないので、発光ダイオードが誤動作することがない。
【発明を実施するための最良の形態】
【０００９】
以下、本発明を具体化した実施の形態を、図面に基づいて詳細に説明する。図１は本発明に係る冗長化電源装置の一例を示す回路図であり、１（１ａ，１ｂ）は直流電力を出力する電源ユニット（第１電源ユニット１ａ、第２電源ユニット１ｂ）、２は負荷、３は電源ユニット１のオン／オフを表示する動作表示手段、４は電流の逆流を阻止する逆流阻止手段としてのダイオードである。
【００１０】
動作表示手段３は、リセットＩＣ６と発光ダイオード（以下、ＬＥＤとする）７を備え、双方とも電源ユニット１の出力間に並列に、即ちプラス端子８ａとマイナス端子８ｂの間に接続されている。リセットＩＣ６は、電圧モニタ端子６ａ、アース端子６ｂ、リセット端子６ｃを有し、電圧モニタ端子６ａが電源ユニット１のプラス端子８ａに接続され、アース端子６ｂがマイナス端子８ｂに接続されている。そして、リセット端子６ｃはＬＥＤ７のアノードに接続されている。ＬＥＤ７は抵抗９を介して電源ユニット１の出力間に接続されている。
【００１１】
リセットＩＣ６は、電圧モニタ端子６ａの電圧が所定の電圧を上回った状態（或いは所定の電圧以上）では、リセット端子６ｃはハイの信号（モニタ電圧に応じた電圧）の出力を持続し、所定の電圧以下（或いは下回った状態）ではローの信号（約０Ｖ）を出力するよう構成されている。
具体的に、電源ユニット１の出力電圧が５．０Ｖの場合、リセットＩＣ６の閾値（所定の電圧）は出力電圧より僅かに低い４．５Ｖ程度が好ましく、このように設定することで、定格電圧の５Ｖで出力している間はリセットＩＣ６のリセット端子６ｃはハイの信号を出力し続け、４．５Ｖを下回ったら略０Ｖを出力する。このような動作をするリセットＩＣとしては、例えばミツミ電機株式会社製ＰＳＴ６００ＣのリセットＩＣがある。
【００１２】
このように構成された動作表示手段の動作を具体的に説明する。今、第１電源ユニット１ａがオンし、第２電源ユニット１ｂがオフの状態にあると、第１電源ユニット１ａは定格電圧（５Ｖ）を出力しているので、第１電源ユニット１ａのリセットＩＣ６のリセット端子６ｃは、モニタしている電圧がリセット動作電圧の４．５Ｖより高いため、ハイの信号を出力する。その結果、ＬＥＤ７には第１電源ユニット１ａの出力電圧（抵抗９で分圧された電圧）が印加され、発光動作する。
【００１３】
一方、第２電源ユニット１ｂの出力電圧は０Ｖであり、第２電源ユニット１ｂのダイオード４には、並列接続された第１電源ユニット１ａの出力により逆電圧が印加されているが、第２電源ユニット１ｂのリセットＩＣ６の電圧モニタ端子６ａの電圧は、逆電流がダイオード４に流れたとしても４．５Ｖ以上になることはなく、リセット動作によりリセット出力端子は略０Ｖを維持する。そのため、第２電源ユニット１ｂのＬＥＤ７が発光する事がない。
【００１４】
このリセットＩＣ６、ＬＥＤ７の動作は、逆の状態、即ち第１電源ユニット１ａがオフ、第２電源ユニット１ｂがオンの場合でも同様であり、オフ状態にある第１電源ユニット１ａのＬＥＤ７が発光動作することがない。
【００１５】
このように、電源ユニットが所定電圧以上の定格電圧を出力するオン状態の時は、ＬＥＤは発光動作するし、電源ユニットが所定の電圧より低いかオフ状態の時はリセットＩＣのリセット信号によりＬＥＤが発光することがないので、ＬＥＤが誤動作することがない。
また、ＬＥＤのアノードにリセットＩＣのリセット出力を接続する簡易な回路で、ＬＥＤの誤動作を防止することができ、従来のＬＥＤの接続を変更する事無く動作表示手段を組み付けできる。
【００１６】
尚、上記実施形態は電源ユニット２台を並列接続した構成を示しているが、更に多数の電源ユニットを並列接続した場合であっても、動作表示手段は同様に構成できる。
【図面の簡単な説明】
【００１７】
【図１】本発明に係る冗長化電源装置の実施形態の一例を示す回路図である。
【図２】従来の冗長化電源装置の回路図である。
【符号の説明】
【００１８】
１（１ａ，１ｂ）・・電源ユニット、２・・負荷、３・・動作表示手段、４・・ダイオード、６・・リセットＩＣ、７・・発光ダイオード。
【図１】
2007318916.tif 000003
【図２】
2007318916.tif 000004